(57)【要約】【課題】  フリッカの発生防止及び／又は輝度の向上を実現することができるプラズマディスプレイ装置及びその駆動方法を提供することを課題とする。【解決手段】  複数ラインからなる２次元画像を表示するための表示部と、１フレームが第１及び第２のフィールド（Ｆｏ，Ｆｅ）を含み、２次元画像データをフレーム単位で表示部に表示する駆動回路とを有するプラズマディスプレイ装置が提供される。駆動回路は、第１のフィールドでは、２次元画像データ中の１ラインの画像データを表示部の第１の複数ラインの組みを使って表示し、第２のフィールドでは、２次元画像データ中の１ラインの画像データを表示部の第１の複数ラインの組みとは異なる第２の複数ラインの組みを使って表示する。【選択図】        図６
2006234982.tif 000002
【特許請求の範囲】
【請求項１】
複数ラインからなる２次元画像を表示するための表示部と、
１フレームが第１及び第２のフィールドを含み、２次元画像データをフレーム単位で前記表示部に表示する駆動回路とを有し、
前記駆動回路は、前記第１のフィールドでは、前記２次元画像データ中の１ラインの画像データを前記表示部の第１の複数ラインの組みを使って表示し、前記第２のフィールドでは、前記２次元画像データ中の１ラインの画像データを前記表示部の前記第１の複数ラインの組みとは異なる第２の複数ラインの組みを使って表示するプラズマディスプレイ装置。
【請求項２】
前記駆動回路は、前記第１及び第２のフィールドがそれぞれ複数のサブフィールドで構成され、各サブフィールドに輝度の重み付けをして前記表示部に階調表示を行う際に、前記１ラインの画像データの前記第１又は第２のフィールドを構成する複数のサブフィールドを前記表示部の複数ラインに分散して表示する請求項１記載のプラズマディスプレイ装置。
【請求項３】
前記第１の複数ラインの組みは、前記表示部の第１のライン及びその下の第２のラインの組みであり、
前記第２の複数ラインの組みは、前記表示部の前記第２のライン及びその下の第３のラインの組みである請求項１記載のプラズマディスプレイ装置。
【請求項４】
前記第１の複数ラインの組みは、前記表示部の奇数ライン及びその下の偶数ラインの組みであり、
前記第２の複数ラインの組みは、前記表示部の偶数ライン及びその下の奇数ラインの組みであり、
前記駆動回路は、前記第１及び第２のフィールドを交互に前記表示部に表示する請求項１記載のプラズマディスプレイ装置。
【請求項５】
前記第１及び第２の複数ラインの組みは共に隣接する２ラインの組みであり、
前記１ラインの画像データの前記第１又は第２のフィールドを構成する複数のサブフィールドは前記表示部の前記２ラインの組みにおいて各サブフィールドが時間的にずれて配列される請求項２記載のプラズマディスプレイ装置。
【請求項６】
前記第１及び第２の複数ラインの組みは共に隣接する２ラインの組みであり、
前記表示部の前記２ラインの組みにおいて一方のラインの少なくとも１つのサブフィールドが他方のラインのサブフィールドと少なくとも一部が時間的に重なる請求項２記載のプラズマディスプレイ装置。
【請求項７】
前記各サブフィールドは、発光のための維持放電を行う維持放電期間が前半維持放電期間及び後半維持放電期間に分かれ、前記２ラインの組みにおいて一方のラインの少なくとも１つのサブフィールドの後半維持放電期間及び他方のラインの少なくとも１つのサブフィールドの前半維持放電期間が重なる請求項６記載のプラズマディスプレイ装置。
【請求項８】
前記各サブフィールドは、前記前半維持放電期間の前に発光又は非発光を選択するためのアドレス期間を有し、前記前半維持放電期間及び後半維持放電期間の間には発光又は非発光の選択を行わずに待機する待機期間を有し、
前記２ラインの組みにおいて一方のラインのサブフィールドの待機期間が他方のラインのサブフィールドのアドレス期間に重なる請求項７記載のプラズマディスプレイ装置。
【請求項９】
前記各サブフィールドは、前記待機期間の後かつ前記後半維持放電期間の前に、非発光が選択されているときに隣接ラインのアドレス期間においてアドレス放電を起こした場合には元の非発光の選択状態に戻す消去放電を行う請求項８記載のプラズマディスプレイ装置。
【請求項１０】
複数ラインからなる２次元画像を表示するための表示部と、１フレームが第１及び第２のフィールドを含み、２次元画像データをフレーム単位で前記表示部に表示する駆動回路とを有するプラズマディスプレイ装置の駆動方法であって、
前記第１のフィールドでは、前記２次元画像データ中の１ラインの画像データを前記表示部の第１の複数ラインの組みを使って表示する第１のフィールド表示ステップと、
前記第２のフィールドでは、前記２次元画像データ中の１ラインの画像データを前記表示部の前記第１の複数ラインの組みとは異なる第２の複数ラインの組みを使って表示する第２のフィールド表示ステップと
を有するプラズマディスプレイ装置の駆動方法。
【発明の詳細な説明】
【技術分野】
【０００１】
本発明は、プラズマディスプレイ装置及びその駆動方法に関する。
【背景技術】
【０００２】
下記の特許文献１には、１フレームを、奇数フィールドと偶数フィールドで構成し、各フィールドを複数のサブフィールドで構成し、各サブフィールドに輝度の重み付けをして階調表示を行うに際し、奇数フィールドのサブフィールド群と偶数フィールドのサブフィールド群とを、表示データの時間的変化に対応するよう半フレーム分ずらすとともに、奇数フィールドのサブフィールド表示と偶数フィールドのサブフィールド表示とを交互に行うプラズマディスプレイパネルの駆動方法が記載されている。
【０００３】
また、下記の特許文献２には、奇数表示ライン群の表示と偶数表示ライン群の表示とを行うフレーム周期を３３ｍｓｅｃ未満とするプラズマディスプレイパネルの駆動方法が記載されている。これにより、奇数表示ライン群、偶数表示ライン群それぞれの表示は３３ｍｓｅｃ未満で行われ、奇数表示ラインまたは偶数表示ラインだけを表示する場合にもフリッカの発生を防止することができる。
【０００４】
【特許文献１】特開２００２−２６８６０５号公報
【特許文献２】特開２０００−１１２４３１号公報
【発明の開示】
【発明が解決しようとする課題】
【０００５】
インターレース方式は、表示パネルのラインを奇数ライン及び偶数ラインに分け、奇数フィールドでは奇数ラインを発光させ、偶数フィールドでは偶数ラインを発光させる。この場合、半数のラインが交互に非発光状態になるので、フリッカが出やすくなる。また、輝度が低い点が課題である。
【０００６】
本発明の目的は、フリッカの発生防止及び／又は輝度の向上を実現することができるプラズマディスプレイ装置及びその駆動方法を提供することである。
【課題を解決するための手段】
【０００７】
本発明の一観点によれば、複数ラインからなる２次元画像を表示するための表示部と、１フレームが第１及び第２のフィールドを含み、２次元画像データをフレーム単位で表示部に表示する駆動回路とを有するプラズマディスプレイ装置が提供される。駆動回路は、第１のフィールドでは、２次元画像データ中の１ラインの画像データを表示部の第１の複数ラインの組みを使って表示し、第２のフィールドでは、２次元画像データ中の１ラインの画像データを表示部の第１の複数ラインの組みとは異なる第２の複数ラインの組みを使って表示する。
【発明の効果】
【０００８】
第１及び第２のフィールドのそれぞれにおいて、全ラインが発光可能であるので、フリッカの発生を防止することができる。また、各フィールドで全ラインが発光可能であるので、輝度を向上させることができる。
【発明を実施するための最良の形態】
【０００９】
（第１の実施形態）
図１は、本発明の第１の実施形態によるプラズマディスプレイ装置の構成例を示す図である。制御回路２０は、Ｘ駆動回路１７、Ｙ駆動回路１８及びアドレス駆動回路１９を制御する。Ｘ駆動回路１７は、複数のＸ電極Ｘ１，Ｘ２，・・・に所定の電圧を供給する。以下、Ｘ電極Ｘ１，Ｘ２，・・・の各々を又はそれらの総称を、Ｘ電極Ｘｉといい、ｉは添え字を意味する。Ｙ駆動回路１８は、複数のＹ電極Ｙ１，Ｙ２，・・・に所定の電圧を供給する。以下、Ｙ電極Ｙ１，Ｙ２，・・・の各々を又はそれらの総称を、Ｙ電極Ｙｉといい、ｉは添え字を意味する。アドレス駆動回路１９は、複数のアドレス電極Ａ１，Ａ２，・・・に所定の電圧を供給する。以下、アドレス電極Ａ１，Ａ２，・・・の各々を又はそれらの総称を、アドレス電極Ａｊといい、ｊは添え字を意味する。
【００１０】
プラズマディスプレイパネル（表示部）１６では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置される。Ｙ電極Ｙｉ及びアドレス電極Ａｊは、ｉ行ｊ列の２次元行列を形成する。表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、パネル１６は複数ラインからなる２次元画像を表示することができる。
【００１１】
図２（Ａ）は、図１の表示セルＣｉｊの断面構成例を示す図である。Ｘ電極Ｘｉ及びＹ電極Ｙｉは、前面ガラス基板１２１１上に形成されている。その上には、放電空間１２１７に対し絶縁するための誘電体層１２１２が被着されるとともに、更にその上にＭｇＯ（酸化マグネシウム）保護膜１２１３が被着されている。
【００１２】
一方、アドレス電極Ａｊは、前面ガラス基板１２１１と対向して配置された背面ガラス基板１２１４上に形成され、その上には誘電体層１２１５が被着され、更にその上に蛍光体が被着されている。ＭｇＯ保護膜１２１３と誘電体層１２１５との間の放電空間１２１７には、Ｎｅ＋Ｘｅペニングガス等が封入されている。
【００１３】
図２（Ｂ）は、交流駆動型プラズマディスプレイの容量Ｃｐを説明するための図である。容量Ｃａは、Ｘ電極ＸｉとＹ電極Ｙｉとの間の放電空間１２１７の容量である。容量Ｃｂは、Ｘ電極ＸｉとＹ電極Ｙｉとの間の誘電体層１２１２の容量である。容量Ｃｃは、Ｘ電極ＸｉとＹ電極Ｙｉとの間の前面ガラス基板１２１１の容量である。これらの容量Ｃａ，Ｃｂ，Ｃｃの合計によって、電極Ｘｉ及びＹｉ間の容量Ｃｐが決まる。
【００１４】
図２（Ｃ）は、交流駆動型プラズマディスプレイの発光を説明するための図である。リブ（隔壁）１２１６の内面には、赤、青、緑色の蛍光体１２１８がストライプ状に各色毎に配列、塗付されており、Ｘ電極Ｘｉ及びＹ電極Ｙｉ（放電電極対）の間の画素表示のための放電によって蛍光体１２１８を励起して光１２２１が生成されるようになっている。
【００１５】
図３は、Ｘ電極（第１の電極）５００ｘ及びＹ電極（第２の電極）５００ｙの構造例を示す図である。Ｘ電極５００ｘは、図１及び図２（Ａ）〜（Ｃ）のＸ電極Ｘｉに対応し、金属電極（バス電極）５０１ｘ及びその両側に接続される透明電極（サステイン電極）５０２ｘからなる。Ｙ電極５００ｙは、図１及び図２（Ａ）〜（Ｃ）のＹ電極Ｙｉに対応し、金属電極（バス電極）５０１ｙ及びその両側に接続される透明電極（サステイン電極）５０２ｙからなる。リブ５０３は、図２（Ｃ）のリブ１２１６に対応し、ボックス型リブを構成する。各表示セルＣｉｊは、リブ５０３により分離される。Ｘ電極５００ｘ及びＹ電極５００ｙは、交互に複数設けられる。透明電極５０２ｘ及び５０２ｙ間でサステイン放電が行われる。Ｙ電極５０２ｙは、その両側に隣接するＸ電極５０２ｘとの間で隣接する２つの表示ラインを構成する。すなわち、Ｙ電極５０２ｙは、図においてその上側に隣接するＸ電極５０２ｘとの間で１つの表示ラインを構成し、その下側に隣接するＸ電極５０２ｘとの間で他の１つのラインを構成する。それらの２つのラインは、互いに隣接するラインを構成する。
【００１６】
図４は、画像のフィールドＦＤの構成例を示す図である。１フレームは、奇数フィールド及び偶数フィールドからなる。２次元画像データをフレーム単位でパネル１６に表示するので、奇数フィールド及び偶数フィールドが交互にパネル１６に表示される。以下、奇数フィールド及び偶数フィールドの個々を又はそれらの総称をフィールドＦＤという。各フィールドＦＤは、第１のサブフィールドＳＦ１、第２のサブフィールドＳＦ２、・・・、第ｎのサブフィールドＳＦｎにより形成される。このｎは、例えば１０であり、階調ビット数に相当する。サブフィールドＳＦ１，ＳＦ２等の各々を又はそれらの総称を、以下、サブフィールドＳＦという。
【００１７】
各サブフィールドＳＦは、リセット期間Ｔｒ、アドレス期間Ｔａ及びサステイン（維持放電）期間Ｔｓにより構成される。リセット期間Ｔｒでは、表示セルの初期化を行う。アドレス期間Ｔａでは、アドレス電極Ａｊ及びＹ電極Ｙｉ間のアドレス放電により各表示セルの発光又は非発光を選択することができる。具体的には、Ｙ電極Ｙ１，Ｙ２，Ｙ３，Ｙ４，・・・等に順次スキャンパルスを印加し、そのスキャンパルスに対応してアドレス電極Ａにアドレスパルスを印加することにより、所望の表示セルの発光又は非発光を選択することができる。サステイン期間Ｔｓでは、発光が選択された表示セルのＸ電極Ｘｉ及びＹ電極Ｙｉ間でサステイン放電を行い、発光を行う。各サブフィールドＳＦでは、Ｘ電極Ｘｉ及びＹ電極Ｙｉ間のサステインパルスによる発光回数（サステイン期間Ｔｓの長さ）が異なる。これにより、階調値を決めることができる。
【００１８】
図５は、通常のインターレース方式によるプラズマディスプレイ装置の駆動方法を示す図である。１フレームは奇数フィールドＦｏ及び偶数フィールドＦｅからなり、奇数フィールドＦｏ及び偶数フィールドＦｅが交互に表示される。奇数フィールドＦｏでは、図１のＸ電極Ｘ１及びＹ電極Ｙ１間の表示セル、Ｘ電極Ｘ２及びＹ電極Ｙ２間の表示セル、Ｘ電極Ｘ３及びＹ電極Ｙ３間の表示セル、Ｘ電極Ｘ４及びＹ電極Ｙ４間の表示セル等でのサステイン放電により奇数ラインの表示を行う。その後、偶数フィールドＦｅでは、図１のＹ電極Ｙ１及びＸ電極Ｘ２間の表示セル、Ｙ電極Ｙ２及びＸ電極Ｘ３間の表示セル、Ｙ電極Ｙ３及びＸ電極Ｘ４間の表示セル等でのサステイン放電により偶数ラインの表示を行う。フィールドＦｏ及びＦｅは、それぞれ１０個のサブフィールドＳＦ１〜ＳＦ１０を有する。奇数フィールドＦｏでは奇数ラインのみを表示し、偶数フィールドＦｅでは偶数ラインのみを表示するので、フリッカが発生してしまう問題がある。
【００１９】
図６は、本実施形態によるプラズマディスプレイ装置の駆動方法を示す図である。奇数フィールド（第１のフィールド）Ｆｏでは、２次元画像データ中の１ラインの画像データをパネル１６の第１の複数ライン（例えば２ライン）の組みを使って表示する。偶数フィールド（第２のフィールド）Ｆｅでは、２次元画像データ中の１ラインの画像データをパネル１６の前記第１の複数ラインの組みとは異なる第２の複数ライン（例えば２ライン）の組みを使って表示する。
【００２０】
奇数フィールドＦｏ及び偶数フィールドＦｅは、それぞれ複数のサブフィールドＳＦ１〜ＳＦ１０で構成される。各サブフィールドＳＦに輝度の重み付けをしてパネル１６に階調表示を行う。１ラインの画像データの奇数フィールドＦｏを構成する複数のサブフィールドをパネル１６の隣接する２ラインの組みに分散して表示し、偶数フィールドＦｅを構成する複数のサブフィールドをパネル１６の他の隣接する２ラインの組みに分散して表示する。
【００２１】
奇数フィールドＦｏの２ラインの組みはパネル１６の第１のライン及びその下の第２のラインの組みであり、偶数フィールドＦｅの２ラインの組みはパネル１６の前記第２のライン及びその下の第３のラインの組みである。
【００２２】
すなわち、奇数フィールドＦｏの２ラインの組みはパネル１６の奇数ライン及びその下の偶数ラインの組みであり、偶数フィールドＦｅの２ラインの組みはパネル１６の偶数ライン及びその下の奇数ラインの組みである。奇数フィールドＦｏ及び偶数フィールドＦｅは交互にパネル１６に表示される。
【００２３】
１ラインの画像データの奇数フィールドＦｏを構成する複数のサブフィールドＳＦ１〜ＳＦ１０はパネル１６の前記２ラインの組みにおいて各サブフィールドＳＦが時間的にずれて配列され、偶数フィールドＦｅを構成する複数のサブフィールドＳＦ１〜ＳＦ１０もパネル１６の前記２ラインの組みにおいて各サブフィールドＳＦが時間的にずれて配列される。
【００２４】
以上のように、隣接する２ラインを組みにして階調表現を行う。各フィールドでは、１０個のサブフィールドＳＦ１〜ＳＦ１０が存在するが、その１０個のサブフィールドＳＦ１〜ＳＦ１０をパネル１６の２ラインの間で交互に配列させる。組みにする２ラインは、奇数フィールドＦｏ及び偶数フィールドＦｅ間で１ラインずらしている。これにより、図５（Ａ）のインターレース方式と同様の解像度の表示を行うことができる。
【００２５】
図７（Ａ）は図５の駆動方法による表示例を示す図であり、図７（Ｂ）は図６の駆動方法による表示例を示す図である。図７（Ａ）及び（Ｂ）において、上領域に白を表示し、下領域に黒を表示する例を示す。図７（Ａ）の上領域において、奇数フィールドＦｏでは奇数ラインのみが表示され、偶数フィールドＦｅでは偶数ラインのみが表示されるので、フリッカが生じてしまう。これに対して、図７（Ｂ）の上領域では、奇数フィールドＦｏ及び偶数フィールドＦｅの両方において、奇数ライン及び偶数ラインの全ラインが表示されるのでフリッカを低減することができる。
【００２６】
図８は、図６の駆動方法を実現するための駆動波形例を示すタイミングチャートである。図の上から順に、アドレス電極Ａｊの電圧波形、奇数番目のＸ電極Ｘｏの電圧波形、Ｙ電極Ｙｉの電圧波形、偶数番目のＸ電極Ｘｅの電圧波形を示す。
【００２７】
Ｘ電極Ｘｏは、図１の奇数番目のＸ電極Ｘ１，Ｘ３，Ｘ５等の共通電圧波形を示す。Ｘ電極Ｘｅは、図１の偶数番目のＸ電極Ｘ２，Ｘ４，Ｘ６等の共通電圧波形を示す。Ｙ電極Ｙｉは、全てのＹ電極Ｙｉの共通電圧波形を示すが、アドレス期間Ｔａにおけるスキャンパルスのタイミングのみが異なる。すなわち、Ｙ駆動回路１８は、アドレス期間Ｔａにおいて、複数のＹ電極Ｙ１，Ｙ２，Ｙ３，Ｙ４等に順次スキャンパルスを供給する。アドレス駆動回路１９は、そのスキャンパルスに対応してアドレス電極Ａｊにアドレスパルスを印加すれば、パネル１６の各画素の発光を選択することができ、アドレスパルスを印加しなければ非発光を選択することができる。
【００２８】
奇数ラインＬｏは、奇数Ｘ電極Ｘｏ及びその下のＹ電極Ｙｉ間の表示セルにより構成される。偶数ラインＬｅは、Ｙ電極Ｙｉ及びその下の偶数Ｘ電極Ｘｅ間の表示セルにより構成される。サブフィールドＳＦ１〜ＳＦ１０は、奇数ラインＬｏ及び偶数ラインＬｅの間で交互に配列される。奇数ラインＬｏでは奇数サブフィールドＳＦ１，ＳＦ３等が表示され、偶数ラインＬｅでは偶数サブフィールドＳＦ２，ＳＦ４等が表示される。奇数ラインＬｏにおいてサブフィールドＳＦ１，ＳＦ３等の表示が行われている期間では、偶数ラインＬｅでは表示は行われない。逆に、偶数ラインＬｅにおいてサブフィールドＳＦ２，ＳＦ４等の表示が行われている期間では、奇数ラインＬｏでは表示は行われない。各サブフィールドＳＦは、リセット期間Ｔｒ、アドレス期間Ｔａ、サステイン期間Ｔｓ及び消去期間Ｔｅにより構成される。
【００２９】
以下、サブフィールドＳＦ１を例に動作を説明する。リセット期間Ｔｒでは、Ｘ電極Ｘｏ及びＹ電極Ｙｉ間で表示セルの初期化を行う。
【００３０】
アドレス期間Ｔａでは、アドレス電極Ａｊ及びＹ電極Ｙｉ間のアドレス放電により各表示セルの発光又は非発光を選択することができる。具体的には、Ｙ電極Ｙ１，Ｙ２，Ｙ３，Ｙ４，・・・等に順次スキャンパルスを印加し、そのスキャンパルスに対応してアドレス電極Ａｊにアドレスパルスを印加することにより、所望の表示セルの発光又は非発光を選択することができる。アドレス期間Ｔａでは、Ｘ電極Ｘｏは正電位でありＹ電極Ｙｉは負電位であるので、上記のアドレス放電をトリガとしてＸ電極Ｘｏ及びＹ電極Ｙｉ間で放電が生じ、Ｘ電極Ｘｏ及びＹ電極Ｙｉに壁電荷が生成される。これに対し、このアドレス期間Ｔａにおいて、偶数Ｘ電極Ｘｅは０Ｖであるので偶数Ｘ電極Ｘｅ及びＹ電極Ｙｉ間では十分な放電が行われず、発光又は非発光の選択は行われない。しかし、弱い放電が行われるため、その後の消去期間ＴｔにおいてＸ電極Ｘｅ及びＹ電極Ｙｉ間で消去放電を行う。この消去期間Ｔｔは、サブフィールドＳＦ１のサステイン期間Ｔｓの開始時に行われる。
【００３１】
サステイン期間Ｔｓでは、発光が選択された表示セルのＸ電極Ｘｏ及びＹ電極Ｙｉに互いに逆相のサステインパルスが印加されるので、Ｘ電極Ｘｏ及びＹ電極Ｙｉ間でサステイン放電を行い、発光を行う。これに対し、偶数ラインＬｅでは、上記のように、発光又は非発光の選択が行われていないし、Ｘ電極Ｘｅ及びＹ電極Ｙｉには同相のサステインパルスが印加されるので、Ｘ電極Ｘｅ及びＹ電極Ｙｉ間ではサステイン放電が行われない。
【００３２】
消去期間Ｔｅでは、Ｘ電極Ｘｏ及びＹ電極Ｙｉに消去パルスを印加し、Ｘ電極Ｘｏ及びＹ電極Ｙｉに壁電荷が生成されている場合には、その壁電荷を消去放電させる。
【００３３】
以上のように、本実施形態によれば、奇数フィールドＦｏでは、奇数サブフィールドＳＦ１，ＳＦ３等を奇数ラインＬｏに配置し、偶数サブフィールドＳＦ２，ＳＦ４等を偶数ラインＬｅに配置する。また、偶数フィールドＦｅでは、奇数サブフィールドＳＦ１，ＳＦ３等を偶数ラインＬｅに配置し、偶数サブフィールドＳＦ２，ＳＦ４等を奇数ラインＬｏに配置する。これにより、全フィールドで全ラインが点灯することになるので、フリッカを低減することができる。
【００３４】
（第２の実施形態）
図９は、本発明の第２の実施形態によるプラズマディスプレイ装置の駆動方法を示す図である。奇数フィールドＦｏでは、奇数ライン及びその下に隣接する偶数ラインの２ラインの組みを使って１ラインの画像データを表示する。偶数フィールドＦｅでは、偶数ライン及びその下に隣接する奇数ラインの２ラインの組みを使って１ラインの画像データを表示する。前記２ラインの組みにおいて、一方のラインの少なくとも１つのサブフィールドＳＦが他方のラインのサブフィールドＳＦと少なくとも一部が時間的に重なる。
【００３５】
具体的には、前記２ラインの組みにおいて一方のラインの全サブフィールドが他方のラインのサブフィールドと時間的に重なる。奇数フィールドＦｏ又は偶数フィールドＦｏ内において、前記２ラインの組みにおいて一方のラインの全サブフィールドＳＦが時間的に連続し、他方のラインの全サブフィールドＳＦも時間的に連続する。
【００３６】
以上のように、隣接する２ラインを組みにして階調表現を行い、１０個のサブフィールドＳＦ１〜ＳＦ１０をパネル１６の２ラインの間で交互に配列させる点は、図６の第１の実施形態と同じである。第２の実施形態では、さらに、前記２ラインの組みを構成する２ライン間でサブフィールド期間を重複させ、その２ラインを同時に発光可能にする。これにより、輝度を向上させることができる。
【００３７】
図１０は、図９の駆動方法のより具体的な構成例を示す図である。各サブフィールドＳＦは、リセット期間Ｔｒ、アドレス期間Ｔａ、前半サステイン期間Ｔｓ１、待機期間Ｔｗ及び後半サステイン期間Ｔｓ２を有する。すなわち、各サブフィールドＳＦでは、上記の発光のためのサステイン放電を行うサステイン期間Ｔｓを前半サステイン期間Ｔｓ１及び後半サステイン期間Ｔｓ２に分け、前半サステイン期間Ｔｓ１及び後半サステイン期間Ｔｓ２の間に待機期間Ｔｗを設けている。
【００３８】
奇数ラインのサブフィールドＳＦ１の待機期間Ｔｗは、偶数ラインのサブフィールドＳＦ２のリセット期間Ｔｒ及びアドレス期間Ｔａに重なる。また、奇数ラインのサブフィールドＳＦ１の後半サステイン期間Ｔｓ２は、偶数ラインのサブフィールドＳＦ２の前半サステイン期間Ｔｓ１に重なる。また、偶数ラインのサブフィールドＳＦ２の待機期間Ｔｗは、奇数ラインのサブフィールドＳＦ３のリセット期間Ｔｒ及びアドレス期間Ｔａに重なる。また、偶数ラインのサブフィールドＳＦ２の後半サステイン期間Ｔｓ２は、奇数ラインのサブフィールドＳＦ３の前半サステイン期間Ｔｓ１に重なる。
【００３９】
すなわち、偶数ラインの偶数サブフィールドＳＦ２，ＳＦ４等のリセット期間Ｔｒ及びアドレス期間Ｔａは、奇数ラインの奇数サブフィールドＳＦ１，ＳＦ３等の待機期間Ｔｗに重なる。また、偶数ラインの偶数サブフィールドＳＦ２，ＳＦ４等の前半サステイン期間Ｔｓ１は、奇数ラインの奇数サブフィールドＳＦ１，ＳＦ３等の後半サステイン期間Ｔｓ２重なる。また、偶数ラインの偶数サブフィールドＳＦ２，ＳＦ４等の待機期間Ｔｗは、奇数ラインの奇数サブフィールドＳＦ１，ＳＦ３等のリセット期間Ｔｒ及びアドレス期間Ｔａに重なる。また、偶数ラインの偶数サブフィールドＳＦ２，ＳＦ４等の後半サステイン期間Ｔｓ２は、奇数ラインの奇数サブフィールドＳＦ１，ＳＦ３等の前半サステイン期間Ｔｓ１に重なる。
【００４０】
以上のように、前記２ラインの組みにおいて一方のラインの少なくとも１つのサブフィールドＳＦの後半サステイン期間Ｔｓ２及び他方のラインの少なくとも１つのサブフィールドＳＦの前半サステイン期間Ｔｓ１が重なる。好ましくは、前記２ラインの組みにおいて一方のラインの全サブフィールドＳＦの前半サステイン期間Ｔｓ１又は後半サステイン期間Ｔｓ２が他方のラインのサブフィールドＳＦの後半サステイン期間Ｔｓ２又は前半サステイン期間Ｔｓ１に重なることが好ましい。
【００４１】
各サブフィールドＳＦは、前半サステイン期間Ｔｓ１の前に発光又は非発光を選択するためのアドレス期間Ｔａを有し、前半サステイン期間Ｔｓ１及び後半サステイン期間Ｔｓ２の間には発光又は非発光の選択を行わずに待機する待機期間Ｔｗを有する。前記２ラインの組みにおいて一方のラインのサブフィールドＳＦの待機期間Ｔｗが他方のラインのサブフィールドＳＦのアドレス期間Ｔａに重なる。
【００４２】
図１１は、図１０の駆動方法を実現するための駆動波形例を示すタイミングチャートである。図８と同様に、図の上から順に、アドレス電極Ａｊの電圧波形、奇数番目のＸ電極Ｘｏの電圧波形、Ｙ電極Ｙｉの電圧波形、偶数番目のＸ電極Ｘｅの電圧波形を示す。以下、図８と異なる点を説明する。図８のサステイン期間Ｔｓは、図１１の前半サステイン期間Ｔｓ１、待機期間Ｔｗ１、復帰期間Ｔｗ２及び後半サステイン期間Ｔｓ２に置き換えられる。
【００４３】
前半サステイン期間Ｔｓ１では、図８のサステイン期間Ｔｓと同様の電圧波形を印加し、サステイン放電を行って発光させる。次に、待機期間Ｔｗ１では、Ｘ電極Ｘｉ及びＹ電極Ｙｉ間の壁電荷を維持したまま、サステイン放電を中断させる。この際、Ｘ電極ｉは、０Ｖであるので、Ｙ電極Ｙｉのスキャンパルスに対応して発光又は非発光の選択は行われない。
【００４４】
次に、復帰期間Ｔｗ２は、図８の消去期間Ｔｔに対応する。すなわち、復帰期間Ｔｗ２は、待機期間Ｔｗ１の後かつ後半サステイン期間Ｔｓ２の前に、非発光が選択されているときに隣接ラインのアドレス期間Ｔａにおいてアドレス放電を起こした場合には元の非発光の選択状態に戻す（復帰させる）消去放電を行う。
【００４５】
次に、後半サステイン期間Ｔｓ２では、図８のサステイン期間Ｔｓと同様の電圧波形を印加し、サステイン放電を再開させて発光させる。
【００４６】
偶数サブフィールドＳＦ２，ＳＦ４等のリセット期間Ｔｒ及びアドレス期間Ｔａは、奇数サブフィールドＳＦ１，ＳＦ３等の待機期間Ｔｗ１に重なる。また、偶数サブフィールドＳＦ２，ＳＦ４等の前半サステイン期間Ｔｓ１は、奇数サブフィールドＳＦ１，ＳＦ３等の復帰期間Ｔｗ２、後半サステイン期間Ｔｓ２及び消去期間Ｔｅに重なる。また、偶数サブフィールドＳＦ２，ＳＦ４等の待機期間Ｔｗ１は、奇数サブフィールドＳＦ１，ＳＦ３等のリセット期間Ｔｒ及びアドレス期間Ｔａに重なる。また、偶数サブフィールドＳＦ２，ＳＦ４等の復帰期間Ｔｗ２、後半サステイン期間Ｔｓ２及び消去期間Ｔｅは、奇数サブフィールドＳＦ１，ＳＦ３等の前半サステイン期間Ｔｓ１に重なる。
【００４７】
以上のように、本実施形態によれば、隣接ラインがアドレス期間Ｔａの間、当該ラインのセルは待機期間（退避期間）Ｔｗ１にしておき、サステイン期間Ｔｓ１，Ｔｓ２は全てのラインで発光選択されたセルを発光させる。１つのサブフィールドＳＦのサステイン期間Ｔｓが、待機期間Ｔｗ１及び復帰期間Ｔｗ２を挟んで、前半サステイン期間Ｔｓ１及び後半サステイン期間Ｔｓ２の２つの部分に分かれる。隣接するライン同士では、サブフィールドＳＦが時間軸方向にずれて配置される。
【００４８】
隣接する２ラインの内、一方のラインがアドレス期間Ｔａの時に他方のラインは待機期間Ｔｗ１にしておく。待機期間Ｔｗ１では、Ｙ電極Ｙｉのスキャンパルスとアドレス電極Ａｊのアドレスパルスが同時に印加された場合、発光表示セルは放電を起こさない状態にしておくが、非発光表示セルは放電を起こす。非発光表示セルが放電を起こした際、後半サステイン期間Ｔｓ２が始まる前に非発光表示セルを非発光状態に戻す消去放電（復帰操作）を復帰期間Ｔｗ２で行う。第２の実施形態は、第１の実施形態と比較して、サステイン放電期間Ｔｓ１及びＴｓ２を延ばせるので、高輝度にすることができる。
【００４９】
以上のように、第１及び第２の実施形態によれば、２ラインのサブフィールドＳＦ群を１組みにして、階調表現を行い、フィールド毎に２ラインの組みを変え、インターレース表示を行うことを特徴とする。組みにした２ラインでは同時にアドレス期間Ｔａを設けず、アドレス期間Ｔａをずらす。
【００５０】
各フィールドにおいて、奇数ライン及び偶数ラインの２ラインを一組みにして両方のラインを発光させる。そして、奇数フィールドと偶数フィールドとで２ラインの組み合わせを１ラインずらし、インターレース表示を行う。これによりフリッカを軽減することができる。第２の実施形態では、奇数ライン及び偶数ラインでサステイン期間を共有すれば、両ラインが同時に点灯し、輝度を上げられる。
【００５１】
本実施形態では、２ラインを組みにして、奇数フィールド又は偶数フィールドの時間内にその２ラインに属するサブフィールドを使って階調表現を行う。これに対し、上記の特許文献１では、階調表現はあくまで１ラインに属するサブフィールドで行い、奇数フィールド及び偶数フィールドの期間を２倍に延ばし、重複する期間において、それぞれのフィールドに属するサブフィールドを交互に配置する、というものである。この方法であると、動画像のボケが生じるという不都合がある。本実施形態では、動画像のボケが生じずに、フリッカを防止し、高輝度のプラズマディスプレイ装置を得ることができる。
【００５２】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【００５３】
本発明の実施形態は、例えば以下のように種々の適用が可能である。
【００５４】
（付記１）
複数ラインからなる２次元画像を表示するための表示部と、
１フレームが第１及び第２のフィールドを含み、２次元画像データをフレーム単位で前記表示部に表示する駆動回路とを有し、
前記駆動回路は、前記第１のフィールドでは、前記２次元画像データ中の１ラインの画像データを前記表示部の第１の複数ラインの組みを使って表示し、前記第２のフィールドでは、前記２次元画像データ中の１ラインの画像データを前記表示部の前記第１の複数ラインの組みとは異なる第２の複数ラインの組みを使って表示するプラズマディスプレイ装置。
（付記２）
前記駆動回路は、前記第１及び第２のフィールドがそれぞれ複数のサブフィールドで構成され、各サブフィールドに輝度の重み付けをして前記表示部に階調表示を行う際に、前記１ラインの画像データの前記第１又は第２のフィールドを構成する複数のサブフィールドを前記表示部の複数ラインに分散して表示する付記１記載のプラズマディスプレイ装置。
（付記３）
前記第１の複数ラインの組みは、前記表示部の第１のライン及びその下の第２のラインの組みであり、
前記第２の複数ラインの組みは、前記表示部の前記第２のライン及びその下の第３のラインの組みである付記１記載のプラズマディスプレイ装置。
（付記４）
前記第１の複数ラインの組みは、前記表示部の奇数ライン及びその下の偶数ラインの組みであり、
前記第２の複数ラインの組みは、前記表示部の偶数ライン及びその下の奇数ラインの組みであり、
前記駆動回路は、前記第１及び第２のフィールドを交互に前記表示部に表示する付記１記載のプラズマディスプレイ装置。
（付記５）
前記第１及び第２の複数ラインの組みは共に隣接する２ラインの組みであり、
前記１ラインの画像データの前記第１又は第２のフィールドを構成する複数のサブフィールドは前記表示部の前記２ラインの組みにおいて各サブフィールドが時間的にずれて配列される付記２記載のプラズマディスプレイ装置。
（付記６）
前記表示部は、交互に複数設けられる第１及び第２の電極を有し、
前記第２の電極は、その両側に隣接する前記第１の電極との間で隣接する２つの表示ラインを構成する付記１記載のプラズマディスプレイ装置。
（付記７）
前記駆動回路は、前記複数の第２の電極に順次スキャンパルスを供給し、前記表示部の各画素の発光又は非発光を選択する付記６記載のプラズマディスプレイ装置。
（付記８）
前記第１及び第２の複数ラインの組みは共に隣接する２ラインの組みであり、
前記表示部の前記２ラインの組みにおいて一方のラインの少なくとも１つのサブフィールドが他方のラインのサブフィールドと少なくとも一部が時間的に重なる付記２記載のプラズマディスプレイ装置。
（付記９）
前記表示部の前記２ラインの組みにおいて一方のラインの全サブフィールドが他方のラインのサブフィールドと時間的に重なる付記８記載のプラズマディスプレイ装置。
（付記１０）
前記第１又は第２のフィールド内において、前記表示部の前記２ラインの組みにおいて一方のラインの全サブフィールドが時間的に連続し、他方のラインの全サブフィールドが時間的に連続する付記８記載のプラズマディスプレイ装置。
（付記１１）
前記各サブフィールドは、発光のための維持放電を行う維持放電期間が前半維持放電期間及び後半維持放電期間に分かれ、前記２ラインの組みにおいて一方のラインの少なくとも１つのサブフィールドの後半維持放電期間及び他方のラインの少なくとも１つのサブフィールドの前半維持放電期間が重なる付記８記載のプラズマディスプレイ装置。
（付記１２）
前記２ラインの組みにおいて一方のラインの全サブフィールドの前半維持放電期間又は後半維持放電期間が他方のラインのサブフィールドの後半維持放電期間又は前半維持放電期間に重なる付記１１記載のプラズマディスプレイ装置。
（付記１３）
前記各サブフィールドは、前記前半維持放電期間の前に発光又は非発光を選択するためのアドレス期間を有し、前記前半維持放電期間及び後半維持放電期間の間には発光又は非発光の選択を行わずに待機する待機期間を有し、
前記２ラインの組みにおいて一方のラインのサブフィールドの待機期間が他方のラインのサブフィールドのアドレス期間に重なる付記１１記載のプラズマディスプレイ装置。
（付記１４）
前記各サブフィールドは、前記待機期間の後かつ前記後半維持放電期間の前に、非発光が選択されているときに隣接ラインのアドレス期間においてアドレス放電を起こした場合には元の非発光の選択状態に戻す消去放電を行う付記１３記載のプラズマディスプレイ装置。
（付記１５）
複数ラインからなる２次元画像を表示するための表示部と、１フレームが第１及び第２のフィールドを含み、２次元画像データをフレーム単位で前記表示部に表示する駆動回路とを有するプラズマディスプレイ装置の駆動方法であって、
前記第１のフィールドでは、前記２次元画像データ中の１ラインの画像データを前記表示部の第１の複数ラインの組みを使って表示する第１のフィールド表示ステップと、
前記第２のフィールドでは、前記２次元画像データ中の１ラインの画像データを前記表示部の前記第１の複数ラインの組みとは異なる第２の複数ラインの組みを使って表示する第２のフィールド表示ステップと
を有するプラズマディスプレイ装置の駆動方法。
【図面の簡単な説明】
【００５５】
【図１】本発明の第１の実施形態によるプラズマディスプレイ装置の構成例を示す図である。
【図２】図２（Ａ）〜（Ｃ）は表示セルの断面構成例を示す図である。
【図３】Ｘ電極及びＹ電極の構造例を示す図である。
【図４】画像のフィールドの構成例を示す図である。
【図５】通常のインターレース方式によるプラズマディスプレイ装置の駆動方法を示す図である。
【図６】第１の実施形態によるプラズマディスプレイ装置の駆動方法を示す図である。
【図７】図７（Ａ）は図５の駆動方法による表示例を示す図であり、図７（Ｂ）は図６の駆動方法による表示例を示す図である。
【図８】図６の駆動方法を実現するための駆動波形例を示すタイミングチャートである。
【図９】本発明の第２の実施形態によるプラズマディスプレイ装置の駆動方法を示す図である。
【図１０】図９の駆動方法のより具体的な構成例を示す図である。
【図１１】図１０の駆動方法を実現するための駆動波形例を示すタイミングチャートである。
【符号の説明】
【００５６】
１６  パネル
１７  Ｘ駆動回路
１８  Ｙ駆動回路
１９  アドレス駆動回路
２０  制御回路
１２１１  前面ガラス基板
１２１２  誘電体層
１２１３  Ｍｇｏ保護膜
１２１４  背面ガラス基板
１２１５  誘電体層
１２１６  リブ
１２１７  放電空間
１２２１  光
【図１】
2006234982.tif 000003
【図２】
2006234982.tif 000004
【図３】
2006234982.tif 000005
【図４】
2006234982.tif 000006
【図５】
2006234982.tif 000007
【図６】
2006234982.tif 000008
【図７】
2006234982.tif 000009
【図８】
2006234982.tif 000010
【図９】
2006234982.tif 000011
【図１０】
2006234982.tif 000012
【図１１】
2006234982.tif 000013